(57)【特許請求の範囲】
【請求項１】
モーターによって回転しながら外部の空気を流入させる送風ファン；
前記流入した空気を加熱するヒーターコイルを含む胴体；
前記胴体の一側に装着され、前記ヒーターコイルによって加熱された空気を吐き出す第１吐出口；
前記胴体の他側下部に装着され、前記モーターとヒーターコイルを駆動するための第１スイッチが装着された第１取っ手；
前記第１吐出口の反対側の前記胴体の一部に装着され、前記送風ファンによって流入して加圧された空気を吐き出す第２吐出口；及び
前記第２吐出口の開閉及び吐き出される空気の風量を調節するための第２スイッチ；含み、
前記第２吐出口は、
前記胴体内部に装着され、一面が開放した外枠体；
前記外枠体の開放した一面とは反対側の前記外枠体の内部に装着されたスプリング；及び
前記スプリングに連結され、前記スプリングの弾性作用によって前記外枠体の一面を外部に対して開閉する弾性開閉部；を含むことを特徴とする、熱風と同時に吐き出される自然風の風量を調節することができるヘアドライヤー。
【請求項２】
前記第２スイッチは、
前記第２吐出口から空気が吐き出されるようにするため、使用者が押すことができるプッシュボタン；及び
前記プッシュボタンに連動し、前記使用者が押す圧力によって前記弾性開閉部を押圧するプッシュワイヤ；を含むことを特徴とする、請求項１に記載の熱風と同時に吐き出される自然風の風量を調節することができるヘアドライヤー。
【請求項３】
前記第２スイッチは、使用者が前記プッシュボタンを押せば、前記プッシュボタンに連動する前記プッシュワイヤが前記弾性開閉部を押し、これにより前記スプリングが圧縮されることにより、前記外枠体の一面が外部に対して開放して前記加圧された空気が吐き出されることを特徴とする、請求項２に記載の熱風と同時に吐き出される自然風の風量を調節することができるヘアドライヤー。
【請求項４】
前記第２スイッチは、使用者が前記プッシュボタンを押してからはなせば、圧縮されたスプリングの弾性が解除され、これにより前記弾性開閉部が前記外枠体の一面を閉鎖することにより、前記外枠体の一面から空気が吐き出されることを防ぐことを特徴とする、請求項２に記載の熱風と同時に吐き出される自然風の風量を調節することができるヘアドライヤー。
【請求項５】
前記第２スイッチは、前記プッシュボタンを押す押圧強度を調節すれば、前記プッシュボタンに連動する前記スプリングの弾性力の変動によって前記弾性開閉部が前記外枠体を外部に対して開放する程度が調節され、これにより前記外枠体の一面から吐き出される前記加圧された空気の風量が調節されることを特徴とする、請求項２に記載の熱風と同時に吐き出される自然風の風量を調節することができるヘアドライヤー。
【請求項６】
前記第２吐出口は、前記第１吐出口が熱風を吐き出す間に、同時に前記送風ファンによって流入した空気の一部を加圧し、加圧された自然風を吐き出すことを特徴とする、請求項１に記載の熱風と同時に吐き出される自然風の風量を調節することができるヘアドライヤー。
【請求項７】
モーターによって回転しながら外部の空気を流入させる送風ファン；
前記流入した空気を加熱するヒーターコイルを含む胴体；
前記胴体の一側に装着され、前記ヒーターコイルによって加熱された空気を吐き出す第１吐出口；
前記胴体の他側下部に装着され、前記モーターとヒーターコイルを駆動するための第１スイッチが装着された第１取っ手；
前記第１吐出口の反対側の前記胴体の一部に装着され、前記送風ファンによって流入して加圧された空気を吐き出す第２吐出口；及び
前記第２吐出口の開閉及び吐き出される空気の風量を調節するための第２スイッチ；含み、
前記第２吐出口は、
前記胴体内部に装着され、一面が開放した外枠体；
前記外枠体の開放した一面とは反対側の前記外枠体の内部に装着されたスプリング；
前記外枠体の外部に装着され、電流が流れれば磁化する電磁石；及び
前記外枠体の内部に前記スプリングに連結されて装着され、前記電磁石による引力作用によって前記外枠体の一面を外部に対して開閉する電磁石開閉部；を含むことを特徴とする、熱風と同時に吐き出される自然風の風量を調節することができるヘアドライヤー。
【請求項８】
前記第２スイッチは、
前記第２吐出口から空気が吐き出されるようにするため、使用者が押すことができるプッシュボタン；及び
前記プッシュボタンに連動し、前記使用者の押圧によって電流が前記電磁石に流れるようにする伝導性ワイヤ；を含むことを特徴とする、請求項７に記載の熱風と同時に吐き出される自然風の風量を調節することができるヘアドライヤー。
【請求項９】
モーターによって回転しながら外部の空気を流入させる送風ファン；
前記流入した空気を加熱するヒーターコイルを含む胴体；
前記胴体の一側に装着され、前記ヒーターコイルによって加熱された空気を吐き出す第１吐出口；
前記胴体の他側下部に装着され、前記モーターとヒーターコイルを駆動するための第１スイッチが装着された第１取っ手；
前記第１吐出口の反対側の前記胴体の一部に装着され、前記送風ファンによって流入して加圧された空気を吐き出す第２吐出口；及び
前記第２吐出口の開閉及び吐き出される空気の風量を調節するための第２スイッチ；含み、
前記第２吐出口は、
前記胴体内部に装着され、上面及び下面が開放した外枠体；
前記外枠体の内部に一部が装着された回転開閉部；及び
前記外枠体の内壁と前記回転開閉部の間に装着されたスプリング；を含み、
前記回転開閉部は前記スプリングに連結され、前記スプリングの弾性作用によって前記外枠体の上面及び下面を外部に対して開閉することを特徴とする、熱風と同時に吐き出される自然風の風量を調節することができるヘアドライヤー。
【発明の詳細な説明】
【技術分野】
【０００１】
本発明は熱風と同時に吐き出される自然風の風量を調節することができるヘアドライヤーに関するもので、より詳しくは熱風を吐き出す第１吐出口から離隔して装着されて自然風を吐き出す第２吐出口を含み、第１吐出口から熱風が吐き出される間に、同時にプッシュボタンとスライドホルダーを用いて第２吐出口の開閉を調節することにより、吐き出される自然風の風量を連続的に調節することができるヘアドライヤーに関するものである。
【背景技術】
【０００２】
ヘアドライヤーは冷風または熱風で濡れた毛髪を乾燥させ、あるいはヘアースタイルと模様を作るのに一般化した美容器具の一つである。
【０００３】
図１は一般的なヘアドライヤーを示す図である。図１を参照すれば、一般的なヘアドライヤー１０は、概略してケース１２、送風ファン１６、吐出口１８、取っ手部２０、スイッチ部２２及び電源線２４からなる。
【０００４】
送風ファン１６は、駆動モーターによって回転し、胴体１２内には電源供給によって発熱するヒーターコイルと前記ヒーターコイルの過熱を防止する安全手段などからなる。一般的なヘアドライヤーの作動は、送風ファン１６の動作によってケース１２内に吸入された外部空気がヒーターコイルを経ながら加熱され、このように加熱された空気が吐出口１８を通じて吐き出される原理である。使用者は前述した原理で吐き出される熱風で毛髪を乾燥させるとかスタイリングすることができる。
【０００５】
一方、ヘアドライヤー１０で毛髪を乾かすとかスタイリングするとき、長期間の熱風は毛髪をあまり乾燥させて毛髪が割けたり、損傷するため、熱風とともに冷風または自然風を交互に用いる必要がある。
【０００６】
また、長期間にわたってヘアドライヤー１０を使う業界の従事者のような場合は、ヘアドライヤー１０を用いるとき、下側に装着された取っ手２０だけでなく、実際に吐出口１８と送風ファン１６の間のケース１２部分を取っ手として多く使っているが、ケース１２部分を手で握って使用するとき、同時にスイッチ２２を制御しながら送風を調節するのにはスイッチ２２の位置がかなり不便である。
【０００７】
したがって、熱風とともに冷風または自然風を効率よく交互に吐き出すことができ、長期間にわたって利用者が送風を容易に調節することができるヘアドライヤーを開発する必要性がある。
【０００８】
ヘアドライヤーに係わる技術として、特許文献１は、毛髪を加熱する熱源として加熱された流体を使うヘアドライ装置を開示している。
【先行技術文献】
【特許文献】
【０００９】
【特許文献１】大韓民国登録特許第１０−０４７４００７号（発明の名称：加熱された流体を熱源とするヘアドライ装置）
【発明の概要】
【発明が解決しようとする課題】
【００１０】
本発明は既存に提案された方法における前記のような問題点を解決するために提案されたもので、第１吐出口を通じて熱風を吐き出すと同時に第２吐出口を通じて自然風を吐き出すことができるヘアドライヤーを提供することをその目的とする。
【００１１】
また、本発明は、第２スイッチで第２吐出口の開閉を調節することにより、第２吐出口から吐き出される自然風の風量を調節することができるヘアドライヤーを提供することをその目的とする。
【００１２】
また、本発明は、既存のスイッチ領域の外であり、長期間使用する使用者が自然風の送風を調節することが容易な領域に第２スイッチが装着されたヘアドライヤーを提供することをその目的とする。
【００１３】
また、本発明は、第２スイッチをプッシュボタンとスライドホルダーから構成することにより、第２吐出口の開閉を制御し、第２吐出口から吐き出される風量を連続的に調節することができる、ヘアドライヤーを提供することをその目的とする。
【課題を解決するための手段】
【００１４】
前記目的を達成するための本発明の特徴による、熱風と同時に吐き出される自然風を調節することができるヘアドライヤーは、
モーターによって回転しながら外部の空気を流入させる送風ファン；
前記流入した空気を加熱するヒーターコイルを含む胴体；
前記胴体の一側に装着され、前記ヒーターコイルによって加熱された空気を吐き出す第１吐出口；
前記胴体の他側下部に装着され、前記モーターと前記ヒーターコイルを駆動するための第１スイッチが装着された第１取っ手；
前記第１吐出口の反対側の前記胴体の一部に装着され、前記送風ファンによって流入して加圧された空気を吐き出す第２吐出口；及び
前記第２吐出口の開閉及び吐き出される空気の風量を調節するための第２スイッチ；含むことをその構成上の特徴とする。
【００１５】
好ましくは、前記第２吐出口は、
前記胴体内部に装着され、一面が開放した外枠体；
前記外枠体の開放した一面とは反対側の前記外枠体の内部に装着されたスプリング；及び
前記スプリングに連結され、前記スプリングの弾性作用によって前記外枠体の一面を外部に対して開閉する弾性開閉部；を含むことができる。
【００１６】
より好ましくは、前記第２スイッチは、
前記第２吐出口から空気が吐き出されるようにするため、使用者が押すことができるプッシュボタン；及び
前記プッシュボタンに連動し、前記使用者が押す圧力によって前記弾性開閉部を押圧するプッシュワイヤ；を含むことができる。
【００１７】
好ましくは、前記第２スイッチは、使用者が前記プッシュボタンを押せば、前記プッシュボタンに連動する前記プッシュワイヤが前記弾性開閉部を押し、これにより前記スプリングが圧縮されることにより、前記外枠体の一面が外部に対して開放して前記加圧された空気が吐き出されることができる。
【００１８】
より好ましくは、前記第２スイッチは、使用者が前記プッシュボタンを押してからはなせば、圧縮されたスプリングの弾性が解除され、これにより前記弾性開閉部が前記外枠体の一面を閉鎖することにより、前記外枠体の一面から空気が吐き出されることを防ぐことができる。
【００１９】
より好ましくは、前記第２スイッチは、前記プッシュボタンを押す押圧強度を調節すれば、前記プッシュボタンに連動する前記スプリングの弾性力の変動によって前記弾性開閉部が前記外枠体を外部に対して開放する程度が調節され、これにより前記外枠体の一面から吐き出される前記加圧された空気の風量が調節されることができる。
【００２０】
好ましくは、前記第２吐出口は、前記第１吐出口が熱風を吐き出す間に、同時に前記送風ファンによって流入した空気の一部を加圧し、加圧された自然風を吐き出すことができる。
【００２１】
より好ましくは、前記第２吐出口は、
前記胴体内部に装着され、一面が開放した外枠体；
前記外枠体の開放した一面とは反対側の前記外枠体の内部に装着されたスプリング；
前記外枠体の外部に装着され、電流が流れれば磁化する電磁石；及び
前記外枠体の内部に前記スプリングに連結されて装着され、前記電磁石による引力作用によって前記外枠体の一面を外部に対して開閉する電磁石開閉部；を含むことができる。
【００２２】
好ましくは、前記第２スイッチは、
前記第２吐出口から空気が吐き出されるようにするため、使用者が押すことができるプッシュボタン；及び
前記プッシュボタンに連動し、前記使用者の押圧によって電流が前記電磁石に流れるようにする伝導性ワイヤ；を含むことができる。
【００２３】
より好ましくは、前記第２吐出口は、
前記胴体内部に装着され、上面及び下面が開放した外枠体；
前記外枠体の内部に一部が装着された回転開閉部；及び
前記外枠体の内壁と前記回転開閉部の間に装着されたスプリング；を含み、
前記回転開閉部は前記スプリングに連結され、前記スプリングの弾性作用によって前記外枠体の上面及び下面を外部に対して開閉することができる。
【発明の効果】
【００２４】
本発明が提案している熱風と同時に吐き出される自然風の風量を調節することができるヘアドライヤーによれば、第１吐出口を通じて熱風が吐き出されると同時に第２吐出口を通じて自然風が吐き出されるので、ヘアドライヤーの使用の際、熱風と自然風を交互に用いることによって熱乾燥による毛髪の損傷を防止することができる。
【００２５】
また、本発明によれば、髪の毛をロールブラシ（ｒｏｌｌ ｂｒｕｓｈ）に巻き取り、固定したスタイル形成のために熱風を放出すると同時に連続的に吐出量を調節して冷風を放出することによって髪の毛のカール（ｃｕｒｌ）の相対的な強固定及び弱固定を提供することができる。
【００２６】
また、本発明によれば、既存のスイッチ領域の外であり、胴体の一部領域に第２スイッチを装着することにより、長期間使用する使用者が自然風の送風を容易に調節することができる。
【００２７】
また、本発明によれば、第２スイッチを装着することにより、第２吐出口の開閉を効率よく制御することができるだけではなく、第２スイッチをプッシュボタンとスライドホルダーで構成することにより、第２吐出口から吐き出される風量を連続的に調節することができる。
【図面の簡単な説明】
【００２８】
【図１】一般的なヘアドライヤーを示す図である。
【図２】本発明の一実施例によるヘアドライヤーを簡略に示した図である。
【図３】本発明の一実施例によるヘアドライヤーの一部を透視して示した図である。
【図４】本発明の一実施例によるヘアドライヤーの動作実施例を示した図である。
【図５】本発明の一実施例によるヘアドライヤーの動作実施例を示した図である。
【図６】本発明の一実施例によるヘアドライヤーの動作実施例を示した図である。
【図７】本発明の他の実施例によるヘアドライヤーの動作実施例を示した図である。
【図８】本発明の他の実施例によるヘアドライヤーの動作実施例を示した図である。
【図９】本発明の他の実施例によるヘアドライヤーの動作実施例を示した図である。
【図１０】本発明の他の実施例によるヘアドライヤーの動作実施例を示した図である。
【発明を実施するための形態】
【００２９】
以下、添付図面に基づいて本発明が属する当該技術分野で通常の知識を持った者が本発明を容易に実施することができるように好適な実施例を詳細に説明する。ただ、本発明の好適な実施例を詳細に説明することにおいて、関連の公知の機能または構成についての具体的な説明が本発明の要旨を不必要にあいまいにすることができると判断される場合には、その詳細な説明を省略する。また、類似した機能及び作用をする部分に対しては全図にかけて同一符号を付ける。
【００３０】
さらに、明細書の全般にわたって、ある部分が他の部分と‘連結’されていると言うとき、これは‘直接的に連結’されている場合だけではなく、その中間に他の要素を置いて‘間接的に連結’されている場合も含む。また、ある構成要素を‘含む’というのは、特に反対の記載がない限り、他の構成要素を除くものではなく他の構成要素をさらに含むことができることを意味する。
【００３１】
図２は本発明の一実施例によるヘアドライヤーを簡略に示した図である。図２を参照すれば、本発明の一実施例によるヘアドライヤー１００は、送風ファン１１０、胴体１２０、第１吐出口１３０、第１スイッチ１４０、第１取っ手１５０、第２吐出口１６０及び第２スイッチ１７０を含むことができる。
【００３２】
送風ファン１１０は、モーター（図示せず）によって回転しながら外部の空気を胴体１２０の内部に流入させる役目をする。送風ファン１１０と前記モーターは胴体１２０の内部に設置できる。
【００３３】
胴体１２０は送風ファン１１０によって流入した空気を加熱するためのコイル形態のヒーターコイル（図示せず）を含むことができ、前記ヒーターコイルによって加熱された熱風を吐き出す第１吐出口１３０を一側に含み、第１吐出口１３０が装着された部分の反対側の胴体１２０の一部に第２吐出口１６０を含み、第１吐出口１３０と第２吐出口１６０の間の胴体１２０の一部領域に第２スイッチ１７０を含むことができる。また、前記ヒーティングコイルの過熱を防止するバイメタル器具（図示せず）をさらに含むことができる。
【００３４】
第１吐出口１３０は胴体１２０の一側端に装着されることができ、送風ファン１１０によって流入した空気が前記ヒーターコイルによって加熱されてなる熱風を吐き出すことができる。
【００３５】
第１スイッチ１４０は第１取っ手１５０の一部領域に装着されることができる。第１スイッチ１４０は電源供給（Ｔｕｒｎ ｏｎ）または電源遮断（Ｔｕｒｎ ｏｆｆ：ＯＦＦ）を切り替えることにより、ヘアドライヤー１００の駆動を選択することができ、第１吐出口１３０を通じて吐き出される空気の温度（温かい（ＨＯＴ）／冷たい（ＣＯＯＬ））を選択することができる。
【００３６】
第１取っ手１５０は第１吐出口１３０の反対側の胴体１２０の下部に装着されることができ、使用者が手で容易に把持することができるように形成される。
【００３７】
第２吐出口１６０は第１吐出口１３０の反対側の胴体１２０の一部領域に装着され、送風ファン１１０によって流入して加圧された空気を吐き出すことができる。すなわち、送風ファン１１０によって流入した空気の一部は胴体１２０を経て第１吐出口１３０から吐き出されることができ、残りは送風ファン１１０によって加圧されて第２吐出口１６０を通じて吐き出されることができる。
【００３８】
ここで、第２吐出口１６０を通じて吐き出された空気は自然状態の空気に比べて送風ファン１１０の回転によって加圧されることにより、一般的な空気より圧力が高い自然風であると言える。
【００３９】
第２吐出口１６０の特徴は、第１吐出口を通じて熱風が吐き出されるうち、同時に第２吐出口１６０を通じて自然風が吐き出されることができるので、ヘアドライヤー１００の使用の際、熱風と自然風を交互に用いることにより、熱乾燥による毛髪の損傷を防止することができる点である。
【００４０】
第２スイッチ１７０は第１吐出口１３０と第２吐出口１６０の間の胴体１１０の一部領域に装着され、第２吐出口１６０の開閉及び吐き出される空気の風量を調節する役目をする。
【００４１】
一般に、長期間にわたってヘアドライヤーを使う業界の従事者のような場合は、ヘアドライヤーを使用するとき、下側に装着された第１取っ手１５０だけでなく実際に第１吐出口１３０と送風ファン１１０の間の胴体部分１２５を取っ手として多く使うので、第１スイッチ１４０が装着された領域の外であり、第１吐出口１３０と第２吐出口１６０の間の胴体１１０の一部領域に第２スイッチ１７０を装着することにより、長期間使用する使用者が前記自然風の送風を調節することが容易である。
【００４２】
図３は本発明の一実施例によるヘアドライヤーの一部を透視して示した図である。図３を参照すれば、第２吐出口１６０は外枠体１６２、スプリング１６４及び弾性開閉部１６６を含み、第２スイッチ１７０はプッシュボタン１７２、プッシュワイヤ１７３及びスライドホルダー１７４を含むことができる。
【００４３】
第２吐出口１６０と第２スイッチ１７０は一緒に装着されることができ、第２スイッチ１７０は第２吐出口１６０の開閉及び吐き出される空気の風量を調節する役目をすることができる。以下、図４〜図６を参照して第２吐出口１６０及び第２スイッチ１７０の動作について詳細に説明する。
【００４４】
図４〜図６は本発明の一実施例によるヘアドライヤーの動作実施例を示した図である。
【００４５】
まず、図４を参照すれば、外枠体１６２は胴体１２０の内部に装着され、一面が外部に対して開放することができる。スプリング１６４は外枠体１６２の開放した一面とは反対側の外枠体１６２の内部に装着されることができる。弾性開閉部１６６はスプリング１６４に連結され、スプリング１６４の弾性作用によって外枠体１６２の一面を外部に対して開閉することができる。
【００４６】
プッシュボタン１７２は、第２吐出口１６０から空気が吐き出されるようにするため、使用者が押すことができるボタンからなることができる。プッシュワイヤ１７３はプッシュボタン１７２に連動し、前記使用者が押す圧力によって弾性開閉部１６６を押圧することができる。スライドホルダー１７４はプッシュボタン１７２の所定の押圧を固定または解除することができる。
【００４７】
図５は、使用者がプッシュボタン１７２を押すことにより、プッシュボタン１７２に連動してプッシュワイヤ１７３が弾性開閉部１６６を押し、これによってスプリング１６４が圧縮されることにより、外枠体１６２の一面が外部に対して開放し、送風ファン１６０によって加圧された空気が吐き出される動作を示す。
【００４８】
そして、図示のように、スライドホルダー１７４がプッシュボタン１７２を所定の押圧状態で固定して外枠体１６２の一面を外部に対して開放した状態で固定させることにより、外枠体１６２の一面から前記加圧された空気が外部に吐き出されることを維持させることができる。
【００４９】
図６は使用者がスライドホルダー１７４を解除してプッシュボタン１７２を押す押圧強度を調節する動作を示す図である。この場合、前記押圧強度が変わるプッシュボタン１７２に連動するスプリング１６４の弾性力の変動によって弾性開閉部１６６が外枠体１６２の一面を外部に対して開放する程度が調節され、これにより外枠体１６２の一面から吐き出される前記加圧された空気の風量が調節できる。
【００５０】
図４、図６はスライドホルダー１７４が解除された状態で使用者がプッシュボタン１７２を押してからはなすときの動作を示す図である。この場合、圧縮されたスプリング１６４の弾性が解除され、これにより弾性開閉部１６６が外枠体１６２の開放した一面を閉鎖することにより、外枠体１６２の前記一面から空気が吐き出されることを停止させることができる。
【００５１】
このように、本発明の一実施例によるヘアドライヤーによれば、第１吐出口１３０を通じて熱風が吐き出される間に、同時に第２吐出口１６０を通じて自然風が吐き出されるので、ヘアドライヤーの使用の際、熱風と自然風を交互に用いることにより、熱乾燥による毛髪の損傷を防止することができる。
【００５２】
また、例えば髪の毛をロールブラシ（ｒｏｌｌ ｂｒｕｓｈ）に巻き取り、固定したスタイル形成のために熱風を放出すると同時に連続的に吐出量を調節して冷風（cooling air）を放出することにより、髪の毛のカール（ｃｕｒｌ）の相対的な強固定及び弱固定を提供することができる。
【００５３】
また、本発明の一実施例によれば、既存のスイッチ領域１４０の外であり、胴体１２０の一部領域に第２スイッチ１７０を装着することにより、長期間使用する使用者が自然風の送風を容易に調節することができる。
【００５４】
また、本発明の一実施例によれば、第２スイッチ１７０を装着することにより、第２吐出口１６０の開閉を効率よく制御することができ、第２スイッチ１７０をプッシュボタン１７２とスライドホルダー１７４から構成することにより、第２吐出口１６０から吐き出される風量を連続的に調節することができる。
【００５５】
図７は本発明の他の実施例によるヘアドライヤーの動作実施例を示した図である。前述した図と同一符号の構造はその機能及び役目が同様であるので、その詳細な説明を省略する。図７を参照すれば、第２吐出口１６０は、胴体１２０の内部に装着され、一面が開放した外枠体１６２、外枠体１６２の開放した一面とは反対側の外枠体１６２の内部に装着されたスプリング１６４、及び外枠体１６２の外部に装着され、電流が流れれば伝導性を有する電磁石１８０、外枠体１６２の内部にスプリング１６４と連結されて装着され、電磁石１８０による引力作用によって外枠体１８０の一面を外部に対して開閉する電磁石開閉部１８６を含むことができる。
【００５６】
第３スイッチ１９０は、第２吐出口１６０から空気が吐き出されるようにするため、使用者が押すことができるプッシュボタン１９２、プッシュボタン１９２と連動して使用者の押圧によって電流が電磁石１８０に流れるようにする伝導性ワイヤ１９５、及びプッシュボタン１９２の押圧を固定して前記電流が電磁石１８０に流れ続けるようにするスライドホルダー１９４を含むことができる。
【００５７】
以下、本発明の他の実施例によるヘアドライヤーの動作実施例について詳細に説明する。図７及び図８は本発明の他の実施例によるヘアドライヤーの動作実施例を示した図である。
【００５８】
まず、図７を参照すれば、使用者がプッシュボタン１９２を押すことにより、プッシュボタン１９２に連動した伝導性ワイヤ１９５が電流を電磁石１８０に流すようにすることができる。電流が流れる電磁石１８０によって電磁石１８０と電磁石開閉部１８６の間に引力が発生し、前記引力によって電磁石開閉部１８６が電磁石１８０側に引かれることにより、外枠体１８０の外面が開放することができる。
【００５９】
この際、スライドホルダー１９４がプッシュボタン１９２を押圧した状態で固定させて電磁石１８０に電流が流れ続けるようにすることにより、電磁石開閉部１８６と電磁石１８０の間の引力を維持し、これにより外枠体１６２の一面から送風ファン１６０によって加圧された空気が外部に吐き出されることを維持することができる。
【００６０】
つぎに、図８を参照すれば、スライドホルダー１９４が解除された状態で使用者がプッシュボタン１９２を押してからはなすときの動作を示す図である。使用者がプッシュボタン１９２を押してからはなせば、電磁石１８０に流れる電流が遮断されることにより、電磁石１８０と電磁石開閉部１８６の間に形成された引力が消失され、これにより電磁石開閉部１８６が外枠体１６２の開放した一面を閉鎖することにより、外枠体１６２からの空気の吐出を停止させることができる。
【００６１】
図９及び図１０は本発明の他の実施例によるヘアドライヤーの動作実施例を示した図である。前述した図と同一符号の構造はその機能及び役目が同様であるので、その詳細な説明を省略する。図９及び図１０を参照すれば、第２吐出口１６０は、胴体１２０内部に装着され、上面及び下面が開放した外枠体１６２、外枠体１６２の内部側壁の一部装着され、プッシュワイヤ１７３による押圧によって外枠体１６２の上面及び下面を開放する回転開閉部２０６を含むことができる。
【００６２】
まず、図９を参照すれば、使用者がプッシュボタン１７２を押すことにより、プッシュボタン１７２に連動するプッシュワイヤ１７３が回転開閉部２０６を押し、回転開閉部２０６の後面と外枠体１６２の内壁の間に装着されたスプリング１６４が圧縮されることにより、回転開閉部２０６が外枠体１６２の上面及び下面を開放するようになる。外枠体１６２の上面及び下面が開放することにより、送風ファン１６０によって加圧された空気が吐き出されることができる。
【００６３】
そして、スライドホルダー１７４がプッシュボタン１７２を所定の押圧状態で固定させて外枠体１６２の上面及び下面を外部に対して開放した状態で固定させることにより、外枠体１６２の上面から前記加圧された空気が外部に吐き出されることを維持させることができる。
【００６４】
つぎに、図１０はスライドホルダー１７４が解除された状態で使用者がプッシュボタン１７２を押してからはなすときの動作を示す図である。使用者がプッシュボタン１７２を押してからはなせば、圧縮されたスプリングの弾性が解除され、これにより回転開閉部２０６が外枠体１６２の開放した上面及び下面を閉鎖することにより、外枠体１６２の上面及び下面から空気が吐き出されることを防ぐことができる。
【００６５】
以上説明した本発明は本発明が属した技術分野で通常の知識を持った者によって多様な変形や応用が可能であり、本発明による技術的思想の範囲は後述する特許請求範囲によって決定されなければならない。
【符号の説明】
【００６６】
１００    本発明の一実施例によるヘアドライヤー
１１０    送風ファン
１２０    胴体
１３０    第１吐出口
１４０    第１スイッチ
１５０    第１取っ手
１６０    第２吐出口
１６２    外枠体
１６４    スプリング
１６６    弾性開閉部
１７０    第２スイッチ
１７２    プッシュボタン
１７３    プッシュワイヤ
１７４    スライドホルダー
【図１】
0005767762.tif 000002
【図２】
0005767762.tif 000003
【図３】
0005767762.tif 000004
【図４】
0005767762.tif 000005
【図５】
0005767762.tif 000006
【図６】
0005767762.tif 000007
【図７】
0005767762.tif 000008
【図８】
0005767762.tif 000009
【図９】
0005767762.tif 000010
【図１０】
0005767762.tif 000011